(57)【要約】【課題】多数本の電線の接続を含む施工が容易で確実な防水が得られ、解体、再組立も容易にかつ確実に実施できるようにする。【解決手段】ケーブル１中の多数本の電線２ａ、２ｂは、一対の合成樹脂製のコネクタ３ａ、３ｂにより接続されている。コネクタ３ａ、３ｂ内には電線２ａ、２ｂに接続した接続端子が収納されている。  コネクタ３ａの後方には、コネクタ３ａの後部を覆う筒状プロテクタ７がシール部材８を介して取り付けられている。筒状プロテクタ７とケーブル１の絶縁被覆９との間に、合成ゴムから成る円筒状のグロメット１０が介在され、グロメット１０の内外面には断面波形が形成され、この波形形状によって筒状プロテクタ７内への水の浸入が阻止されている。【選択図】図１
2007018893.tif 000002
【特許請求の範囲】
【請求項１】
絶縁被覆により被覆した複数本の電線同士の接続、解離を可能とし、後方に接続端子に接続した前記電線をそれぞれ引き出し、内部の前記各接続端子に対し防水対策を施した一対のコネクタと、これらのコネクタのそれぞれの後部に対し、前記電線及びその絶縁被覆を覆う筒状プロテクタの前端部を合成ゴムから成るシール部材を介して装着し、前記筒状プロテクタの後端部内に前記筒状プロテクタの内周と前記絶縁被覆の外周との間を防水する合成ゴムから成る筒状のグロメットを介在し、前記筒状プロテクタ内に水が侵入しないようにしたことを特徴とするコネクタの防水構造。
【請求項２】
前記コネクタと前記絶縁被覆との間の捩れに対し、前記グロメット内において前記電線が捩れることにより、前記コネクタと前記絶縁被覆との間の捩れを吸収するようにしたことを特徴とする請求項１に記載のコネクタの防水構造。
【請求項３】
前記グロメットは前記筒状プロテクタの後部から挿着するようにしたことを特徴とする請求項１に記載のコネクタの防水構造。
【請求項４】
前記コネクタ、前記筒状プロテクタを外形が略紡錘状の保護筒により覆うようにしたことを特徴とする請求項１に記載のコネクタの防水構造。
【発明の詳細な説明】
【技術分野】
【０００１】
本発明は、コネクタに接続したケーブルの周辺を防水するコネクタの防水構造に関するものである。
【背景技術】
【０００２】
屋外に布設した多数本の例えば信号線を束ねたケーブル同士を接続する場合に、十分な防水対策がなされないと、接続部からケーブル中の信号線の隙間に雨水等が浸水して、信号線の絶縁特性に支障が生ずることがある。
【０００３】
そのために、信号線中に混在した裸線の漏水検知線を使用し、ケーブル中への浸水を検知するようにする場合もある。
【０００４】
そこで、従来では信号線同士を個々にスリーブなどにより接続した上で、接続部をケースに納め、ケース内に例えば粘着性絶縁剤を充填して、ケーブル中に水が浸入しないようにしている。
【発明の開示】
【発明が解決しようとする課題】
【０００５】
しかし、この従来の手順は施工が厄介であり、しかも夜間作業などにおいては、熟練者でなければ完全な防水処理を実施することは困難である。
【０００６】
更に修理時のように、一旦信号線の接続を外して、再接続する必要がある場合などは、極めて多大な処理時間を要する。
【０００７】
本発明の目的は、簡易にかつ確実な防水処理を実施できるコネクタの防水構造を提供することにある。
【課題を解決するための手段】
【０００８】
上述の目的を達成するための本発明に係るコネクタの防水構造の技術的特徴は、絶縁被覆により被覆した複数本の電線同士の接続、解離を可能とし、後方に接続端子に接続した前記電線をそれぞれ引き出し、内部の前記各接続端子に対し防水対策を施した一対のコネクタと、これらのコネクタのそれぞれの後部に対し、前記電線及びその絶縁被覆を覆う筒状プロテクタの前端部を合成ゴムから成るシール部材を介して装着し、前記筒状プロテクタの後端部内に前記筒状プロテクタの内周と前記絶縁被覆の外周との間を防水する合成ゴムから成る筒状のグロメットを介在し、前記筒状プロテクタ内に水が侵入しないようにしたことにある。
【発明の効果】
【０００９】
本発明に係るコネクタの防水構造によれば、多数本の電線の接続を含む施工が容易で確実な防水が得られ、解体、再組立も容易にかつ確実に実施できる。
【００１０】
また、筒状プロテクタ内において電線に自由度を与えられ、ケーブルに捩りが加わっても、コネクタに直接応力が加わって接続特性に悪影響を与えることはない。
【発明を実施するための最良の形態】
【００１１】
本発明を図示の実施例に基づいて詳細に説明する。
【実施例１】
【００１２】
図１は実施例の縦断面図、図２は電線端部の側面図、図３は分解斜視図であり、ケーブル１ａ、１ｂ中の多数本の電線２ａ、２ｂは、一対の合成樹脂製のコネクタ３ａ、３ｂにより接続されている。コネクタ３ａ、３ｂ内には接続端子が収納されており、これらの接続端子に電線２ａ、２ｂがそれぞれ接続されており、コネクタ３ａと３ｂとを嵌合すると、双方の接続端子が電気的に接続されるようになっている。
【００１３】
なお、コネクタ３ａ、３ｂ同士の間は図示しない合成ゴム製のシール部材により合わせ目から水が浸入しないようにされ、更に各電線２ａ、２ｂごとにコネクタ３ａ、３ｂのハウジングとの間がシール部材により同様にシールされているため、コネクタ３ａ、３ｂの前方又は後方からコネクタ３ａ、３ｂ内に水が浸入することはない。
【００１４】
なお、本実施例１では電線２ａ、２ｂの本数が多く、コネクタ３ａ、３ｂ同士の嵌合、解除に大きな力を必要とするため、例えばコネクタ３ａにはカム溝４を有する回動レバー５が設けられ、カム溝４に相手側コネクタ３ｂに設けたピン６を係止して、回動レバー５の回動による両者のてこ作用によってコネクタ３ａ、３ｂ同士を大きな力を要せずに嵌合、解離するようにしている。
【００１５】
コネクタ３ａの後方には、合成樹脂製又は金属製の筒状プロテクタ７が連結されている。なお、コネクタ３ｂの後方にも同様な筒状プロテクタ７が配置され、コネクタ３ａとほぼ対象の構造とされているが、以後、コネクタ３ｂの後方部の構造についての説明は省略する。
【００１６】
筒状プロテクタ７内のコネクタ３ａ側の前端は、コネクタ３ａの後部を覆うと共に嵌合する形状に形成され、コネクタ３ａとの間に合成ゴム製のシール部材８が介在されており、筒状プロテクタ７への前方からの水の浸入が阻止されている。
【００１７】
更に、筒状プロテクタ７の後部とケーブル１ａ、１ｂの絶縁被覆９との間に、合成ゴムから成る円筒状のグロメット１０が介在されている。このグロメット１０には、前方の小径孔１０ａと後方の大径孔１０ｂとが形成され、小径孔１０ａには電線２ａが挿通され、大径孔１０ｂには絶縁被覆９が挿入するようにされ、絶縁被覆９の切口９ａは小径孔１０ａと大径孔１０ｂとの段部に当接するようにされている。
【００１８】
また、大径孔１０ｂの内面及び外面には断面波形が形成され、この波形形状によって筒状プロテクタ７内への後方からの水の浸入が阻止されている。なお、この波形形状によるグロメット１０の絶縁被覆９に対する摺動抵抗は、グロメット１０の大径孔１０ｂの内径、グロメット１０の外径を調整して、後述する理由により筒状プロテクタ７の内面に対する摺動抵抗よりも大きくされている。
【００１９】
更に、これらのコネクタ３ａ、３ｂ、両側の筒状プロテクタ７の周囲は、合成樹脂製又は金属製の略紡錘状とされた２つ割りの保護筒１１によって覆われている。保護筒１１の中央部はコネクタ３ａ、３ｂを収容するために大径とされ、両側にゆくにつれ小径とされている。また、保護筒１１の両端部はケーブル１ａ、１ｂが通過し得る孔部が設けられ、筒状プロテクタ７の移動を制約している。保護筒１１の両端には、合成ゴム製の略円筒形のブッシュング１２が突き当てられ、ブッシュング１２の外側のテーパ面に、このテーパ面に適合する形状の金属製スリーブ１３が嵌合されている。
【００２０】
ブッシュング１２、スリーブ１３の上から金属製又は合成樹脂製のナット１４が被着され、このナット１４は保護筒１１に端部に設けたねじ部１１ａに螺合され、内側に向けて設けた縁部１１ｂによってブッシュング１２をスリーブ１３を介して保護筒１１の中央側に向けて押さえ付けている。なお、保護筒１１の内外面に補強用のリブ１１ｃが形成されている。
【００２１】
このコネクタの組立については、先ず図２に示すようにケーブル１ａの絶縁被覆９を所定位置で切り取り、電線２ａを所定の長さに切り揃える。次いで、図３に示すように絶縁被覆９に、ナット１４、スリーブ１３、ブッシュング１２、グロメット１０の順に挿着する。グロメット１０を図１に示すように押し込んで絶縁被覆９の切口を小径孔１０ａと大径部１０ｂとの段部に当接しておく。続いて、シール部材８を前端部に取り付けた筒状プロテクタ７をグロメット１０上に挿着する。なお、コネクタ３ｂ側については、コネクタ３ｂに筒状プロテクタ７を装着した状態を示している。
【００２２】
次に、各電線２ａの芯線を露出し、芯線に接続端子を圧着により接続する。なお、この際に各電線２ａにはコネクタ３ａ内への浸水を防止するための前述した図示しない円筒状のシール部材を挿着しておく。そして、電線２ａを付設した全ての接続端子をコネクタ３ａの後方から、それぞれの端子収容孔に挿着し、コネクタ３ａを同様に処理したコネクタ３ｂと嵌合する。
【００２３】
なお、ケーブル１ａ、１ｂでは絶縁被覆９の内側に、ステンレス製のコルゲート管が内層されていることがあり、この場合にはケーブル１ａ、１ｂ自体の捩回が困難なので、コネクタ３ａ、３ｂに接続したケーブル１ａ、１ｂから引き出した電線２ａ、２ｂを捩ることにより、コネクタ３ａ、３ｂを向かい合わせることができる。
【００２４】
続いて、筒状プロテクタ７をコネクタ３ａ側に引き寄せ、図示しない連結機構により筒状プロテクタ７の前端部をコネクタ３ａの後部に嵌合し、シール部材８によりこの間を防水構造とする。この際に、グロメット１０は絶縁被覆９に対しては緊く挿着されているために、筒状プロテクタ７を前方に移動しても、グロメット１０が筒状プロテクタ７に追従して共に移動することはない。
【００２５】
その後に、２つ割りの保護筒１１をコネクタ３ａ、３ｂの周囲に被着し、両側の小径部の端部にブッシュング１２を突き当て、このブッシュング１２のテーパ面にスリーブ１３を当接する。そして、スリーブ１３をナット１４によりコネクタ３ａ側に押さえ付け、ナット１４を保護筒１１のねじ部１１ａに螺合し、スリーブ１３を介してブッシュング１２を保護筒１１の端部に固定する。かくすることにより、ブッシュング１２は保護筒１１の端に強く押し付けられると共に絶縁被覆９を緊締する。
【００２６】
このようにして図４に示すように、保護筒１１によりコネクタ３ａ、３ｂ、両側の筒状プロテクタ７は機械的に保護され、コネクタ３ａ、３ｂの後方に連結した筒状プロテクタ７内への浸水は、シール部材８、グロメット１０により防止され、ケーブル１ａ、１ｂ内に水が入り込むことが阻止される。なお、念のために信号線の一部に漏水検知線を使用すれば、ケーブル１ａ、１ｂ内への水の浸入を検知することができる。
【００２７】
また、使用中の温度などの環境変化によりケーブル１ａ、１ｂが捩回しても、その捩回は筒状プロテクタ７内において電線２ａ、２ｂによって吸収することができる。
【００２８】
なお、コネクタ３ａ、３ｂにおける接続端子の位置を変更するなどの必要が生じて分解する場合には、ナット１４を緩めて保護筒１１を外し、筒状プロテクタ７をコネクタ３ａ、３ｂから外して外方にずらし、コネクタ３ａ、３ｂ同士を解離してから接続端子を入れ換えれば容易に変更が可能となる。再組立については、先に説明した順序に従って行えばよい。
【実施例２】
【００２９】
実施例１においては、筒状プロテクタ７の内径はほぼ一定とし、グロメット１０の外周に対し摺動できるようにしたが、この実施例２においては図５に示すように、筒状プロテクタ７’の前部、中央部は大径部７ａとされ、後部のみがグロメット１０の外周と摺動する内径を有する小径部７ｂとされている。
【００３０】
この構造により、組立、分解時に筒状プロテクタ７’を摺動移動する際に、グロメット１０上を摺動させる距離が小径孔７ｂの部分だけとなるため、移動が容易となる利点がある。
【実施例３】
【００３１】
図６は実施例１、２で用いたケーブル１ａ、１ｂよりも、更に多数の電線２ａ、２ｂを有し、大径のケーブル１ａ、１ｂを用いた場合の縦断面図、図７は分解斜視図を示している。
【００３２】
コネクタ３ａ、３ｂに連結された筒状プロテクタ７”とケーブル１ａ、１ｂの絶縁被覆９間には、筒状プロテクタ７”の後方から、合成ゴムから成るフランジ付きの筒状で内外面に断面波型を形成したグロメット２１が挿入され、筒状プロテクタ７”内は防水構造とされている。また、ケーブル１ａ、１ｂに対し絶縁被覆９上に合成樹脂製のケーブル固定具２２が装着されると共に固定されている。
【００３３】
この固定具２２は絶縁被覆９に対して外面をテーパ面としたスリット付きのスリーブ２３を被着して、締付具２４とナット２５を用いてスリーブ２３の内径を縮小して、絶縁被覆９に固定するようになっている。締付具２４の内面はスリーブ２３のテーパ面に外接するテーパ面とされ、その外周には外ねじ２４ａが刻設されている。また、ナット２５は締付具２４を覆い、その内ねじ２５ａはねじ２４の外ねじ２４ａと螺合するようにされている。
【００３４】
締付具２４のコネクタ３ａ側には２本のピン２４ｂが突出されており、これらのピン２４ｂは締付具２４とグロメット２１の間に挿入された多角リング２６の２つの円弧溝２６ａにそれぞれ挿通されている。なお、多角リング２６の多角部２６ｂは六角形などの多角形とされている。
【００３５】
また、コネクタ３ａ、３ｂ、筒状プロテクタ７”、ケーブル固定具２２の上に、合成樹脂製又は金属製の２つ割りの保護筒１１’が被着され、ナット１４により固定されている。そして、保護筒１１’の内側には、多角リング２６の多角部２６ｂが嵌まり込む同形の凹部２７が形成されている。
【００３６】
組立時には、ナット１４、スリーブ１３、ブッシュング１２を絶縁被覆９に装着する。これらの部材は、ケーブル１ａ、１ｂが実施例１の場合よりも大きくなっているので、実施例１の部材よりも大型となっている。続いて、ケーブル固定具２２をナット２５、スリーブ２３、締付具２４、多角リング２６の順に挿通し、最後にグロメット２１、筒状プロテクタ７”を挿通する。
【００３７】
ここで、実施例１と同様に電線２ａに接続端子を接続してから、全ての接続端子をコネクタ３ａに挿着し、コネクタ３ａを同様に処理したコネクタ３ｂと嵌合する。続いて、筒状プロテクタ７”をコネクタ３ａ側に引き寄せ、筒状プロテクタ７”をコネクタ３ａに連結してから、絶縁被覆９と筒状プロテクタ７”の後部の隙間にグロメット２１を押し込み、筒状プロテクタ７”の内部を防水構造とする。
【００３８】
続いて、ケーブル固定具２２を絶縁被覆９上の所定位置に固定する。この場合に、先ずスリーブ２３上に締付具２４を被せ、締付具２４のピン２４ｂを多角リング２６の円弧溝２６ａに挿入し、これらをできるだけ筒状プロテクタ７”側に寄せた上で、締付具２４の外ねじ２４ａにナット２５の内ねじ２５ａを被せる。ここで、ナット２５を回転して内ねじ２５ａを外ねじ２４ａに螺合してゆくと、締付具２４とナット２５は相対的に引き寄せられ、締付具２４の内面のテーパ面によりスリーブ２３のテーパ面が締め付けられ、スリーブ２３はスリットを狭めながら、その内径を縮小することにより絶縁被覆９上に強固に固定される。
【００３９】
その後に保護筒１１’を周囲に被着すると、保護筒１１’内に設けられた多角形の凹部２７が多角リング２６の多角部２６ｂの位相と一致していなくとも、つまり角度がずれていても、多角リング２６は円弧溝２６ａにより或る程度の角度だけ回動が可能であり、保護筒１１’同士を強く合わせると、多角リング２６が自然に回動して保護筒１１’の凹部２７内に嵌まり込む。続いて、実施例１と同様に保護筒１１’のねじ部１１ａにナット１４を螺合して２つ割りの保護筒１１’を一体化する。
【００４０】
これにより、ケーブル１ａは多角リング２６を介して保護筒１１’に固定されることになり、ケーブル１ａに捩れが加わっても保護筒１１’によりその力は吸収されることになる。なお、多角リング２６の円弧溝２６ａの長さに相当する捩り分はコネクタ３ａ側に伝えられるが、これらの捩りは電線２ａが捩れることにより吸収される。なお、コネクタ３ｂ側においてもこの作用は同じである。
【図面の簡単な説明】
【００４１】
【図１】実施例１の縦断面図である。
【図２】電線端部の側面図である。
【図３】分解斜視図である。
【図４】組立状態の斜視図である。
【図５】実施例２の縦断面図である。
【図６】実施例３の縦断面図である。
【図７】分解斜視図である。
【符号の説明】
【００４２】
１ａ、１ｂ  ケーブル
２ａ、２ｂ  電線
３ａ、３ｂ  コネクタ
７、７’、７”  筒状プロテクタ
８  シール部材
９  絶縁被覆
１０、２１  グロメット
１１、１１’  保護筒
１２  ブッシュング
１４、２５  ナット
２２  ケーブル固定具
２３  スリーブ
２４  締付具
２６  多角リング
【図１】
2007018893.tif 000003
【図２】
2007018893.tif 000004
【図３】
2007018893.tif 000005
【図４】
2007018893.tif 000006
【図５】
2007018893.tif 000007
【図６】
2007018893.tif 000008
【図７】
2007018893.tif 000009